(57)【特許請求の範囲】
【請求項１】
弁本体を流れる流体の流れを調整する弁体の開度を制御する弁開度制御手段と，少なくとも前記弁本体を流れる流体の計測流量より演算される積算値に対応する積算パルスを出力する積算パルス出力手段とを備える弁制御装置と、前記弁制御装置からの前記積算パルスを受信するパルス受信装置とを備えた積算パルス送受信システムにおいて、
前記弁制御装置は、
強制パルス出力指令を受けた場合、前記弁体の現在の開度が全閉である場合にのみ、前記積算パルスに代えて予め定められた強制パルスを前記積算パルス出力手段より出力させる強制パルス出力手段
を備えることを特徴とする積算パルス送受信システム。
【請求項２】
請求項１に記載された積算パルス送受信システムにおいて、
前記強制パルス出力手段は、
前記強制パルス出力指令を受けた場合、前記弁開度制御手段に指令を送って前記弁体の開度を強制的に全閉とさせ、前記弁体の開度が全閉となったことを確認した場合に、前記強制パルスを前記積算パルス出力手段より出力させる
ことを特徴とする積算パルス送受信システム。
【請求項３】
請求項１又は２に記載された積算パルス送受信システムにおいて、
前記強制パルス出力手段は、
前記強制パルスを出力させる際、前記パルス受信装置に対して事前に前記強制パルスの出力開始を知らせる強制出力モード信号を送信すると共に、前記強制パルスの出力を停止させる際、前記パルス受信装置に対して前記強制パルスの出力終了を知らせる通常出力モード信号を送信する
ことを特徴とする積算パルス送受信システム。
【請求項４】
請求項１に記載された積算パルス送受信システムにおいて、
前記強制パルス出力手段は、
前記強制パルスを出力させる際、前記パルス受信装置に対して事前に前記強制パルスの出力開始を知らせる強制出力モード信号を送信すると共に、前記弁開度制御手段による前記弁体の全閉状態からの開方向への制御を確認した時、前記強制パルスの出力を停止させると共に、前記パルス受信装置に対して前記強制パルスの出力終了を知らせる通常出力モード信号を送信する
ことを特徴とする積算パルス送受信システム。
【請求項５】
請求項３又は４に記載された積算パルス送受信システムにおいて、
前記パルス受信装置は、
前記弁制御装置から送られてくる積算パルスを受信し、所定の積算処理を行う積算処理手段を備え、
前記積算処理手段は、
前記弁制御装置から前記強制出力モード信号を受信した時、現在の積算値を第１の積算値として記憶したうえ、継続的に積算処理を行うと共に、その後、前記通常出力モード信号を受信した時、前記記憶されている第１の積算値から積算処理を再開する
ことを特徴とする積算パルス送受信システム。
【請求項６】
請求項３又は４に記載された積算パルス送受信システムにおいて、
前記パルス受信装置は、
前記弁制御装置から送られてくる積算パルスを受信し、所定の積算処理を行う積算処理手段を備え、
前記積算処理手段は、
前記弁制御装置から前記強制出力モード信号を受信した時、積算処理を継続すると共に、新規の積算処理を開始し、その後、前記通常出力モード信号を受信した時、継続して積算処理された積算値から新規に積算処理された積算値を減算し、この減算した積算値から積算処理を再開する
ことを特徴とする積算パルス送受信システム。
【請求項７】
請求項１〜６の何れか１項に記載された積算パルス送受信システムにおいて、
前記弁本体は、
熱交換器への流体の供給通路に取り付けられており、
前記積算パルス出力手段は、
前記弁本体を流れる流体の計測流量と前記熱交換器への流体の入口計測温度および出口計測温度とから演算される積算熱量に対応する積算パルスを出力する
ことを特徴とする積算パルス送受信システム。
【請求項８】
請求項１〜６の何れか１項に記載された積算パルス送受信システムにおいて、
前記積算パルス出力手段は、
前記弁本体を流れる流体の計測流量から演算される積算流量に対応する積算パルスを出力する
ことを特徴とする積算パルス送受信システム。
【発明の詳細な説明】
【技術分野】
【０００１】
この発明は、熱量や流量などの積算値に対応する積算パルスを送受信する積算パルス送受信システムに関するものである。
【背景技術】
【０００２】
従来より、この種の積算パルス送受信システムは、熱量や流量などの積算値に対応する積算パルスを出力するパルス出力装置と、このパルス出力装置からの積算パルスを受信するパルス受信装置とから構成される。パルス受信装置ではパルス出力装置からの積算パルスの積算処理を行う。
【０００３】
この積算パルス送受信システムにおいて、熱量や流量などの積算値に対応する積算パルスを出力するパルス出力装置は、流量計などを現場に設置して実際に流体を流さなければ熱量や流量などの計測ができない。このため、パルス出力装置とパルス受信装置とが正しく接続されているか否かの確認は、実際に流量計測が可能となる運用段階まで待たなければならず、現場でのパルス出力装置とパルス受信装置との間の接続確認の効率が悪いという問題があった。
【０００４】
そこで、操作部から指令（強制パルス出力指令）を受けると、流量に応じたパルス出力を中止し、所定のパルス幅のパルス信号（強制パルス）を外部へ出力する流量計が提案されている（例えば、特許文献１参照）。この流量計に採用されている技術を採用すれば、パルス出力装置とパルス受信装置との接続確認に際し、実際に流体を流す必要がなく、現場でのパルス出力装置とパルス受信装置との間の接続確認の効率を上げることが可能となる。
【先行技術文献】
【特許文献】
【０００５】
【特許文献１】特開平１０−１７０３２２号公報
【発明の概要】
【発明が解決しようとする課題】
【０００６】
しかしながら、上述した技術をパルス出力装置に採用した場合、流体が流れているときにこの機能を誤って動作させると、パルス出力装置からの積算パルスの出力が中止され、強制パルスが出力されることになるので、パルス受信装置において積算パルスの誤カウントが生じてしまうという問題が生じる。すなわち、積算パルスのカウント値に強制パルスを加えないようにしても、流体は流れたままであり、この流体の流れによって生じる積算パルスがカウント値に含まれず、誤カウントが生じてしまう。
【０００７】
本発明は、このような課題を解決するためになされたもので、その目的とするところは、パルス受信装置での積算パルスの誤カウントを防止することが可能な積算パルス送受信システムを提供することにある。
【課題を解決するための手段】
【０００８】
このような目的を達成するために本発明は、弁本体を流れる流体の流れを調整する弁体の開度を制御する弁開度制御手段と，少なくとも弁本体を流れる流体の計測流量より演算される積算値に対応する積算パルスを出力する積算パルス出力手段とを備える弁制御装置と、弁制御装置からの積算パルスを受信するパルス受信装置とを備えた積算パルス送受信システムにおいて、弁制御装置に、強制パルス出力指令を受けた場合、弁体の現在の開度が全閉である場合にのみ積算パルスに代えて予め定められた強制パルスを積算パルス出力手段より出力させる強制パルス出力手段を設けたものである。
【０００９】
この発明において、弁制御装置は、強制パルス出力指令を受けると、弁体の現在の開度が全閉であるか否かを確認し、全閉である場合にのみ積算パルスの出力を中止し、強制パルスを出力する。これにより、弁体の開度が全閉である場合にしか、すなわち流体が流れていない時にしか、弁制御装置からは強制パルスが出力されない。したがって、パルス受信装置において、積算パルスのカウント値に強制パルスを加えないようにすれば、その積算パルスのカウント値は流体が流れた分だけとなり、誤カウントを防止することが可能となる。
【００１０】
本発明において、弁制御装置は、強制パルス出力指令を受けると、弁体の現在の開度が全閉であるか否かを確認し、弁体の開度が全閉である場合にのみ積算パルスに代えて強制パルスを出力する。この場合、弁体の現在の開度が全閉であれば、直ちに強制パルスが出力されることになるが、弁体の現在の開度が全閉でない場合には、弁体の開度を強制的に全閉とし、弁体の開度が全閉となったことを確認した場合に、強制パルスを出力するようにしてもよい。
【００１１】
また、本発明において、弁制御装置から強制パルスを出力させる際、パルス受信装置に対して事前に強制パルスの出力開始を知らせる強制出力モード信号を送信すると共に、強制パルスの出力を停止させる際、パルス受信装置に対して強制パルスの出力終了を知らせる通常出力モード信号を送信するようにしてもよい。この場合、強制パルスの出力の停止は、強制パルスの出力を開始してから一定時間経過後（自動停止）としたり、強制パルスを所定数出力した後（自動停止）としたり、別途停止の指令を受けるまで強制パルスを出力し続ける（手動停止）などの方法が考えられる。運用時の事故防止といった観点からは、自動停止の方が実用的であると考えられる。
【００１２】
また、本発明において、弁制御装置から強制パルスを出力させる際、パルス受信装置に対して事前に強制出力モード信号を送信すると共に、弁開度制御手段による弁体の全閉状態からの開方向への制御を確認した時、強制パルスの出力を停止させると共に、パルス受信装置に対して通常出力モード信号を送信するようにしてもよい。
【００１３】
また、本発明では、パルス受信装置において、積算パルスのカウント値（積算値）に強制パルスを加えないようにすれば、積算パルスの誤カウントを防止することが可能となるが、この場合の１つの方式として、弁制御装置から強制出力モード信号を受信した時、現在の積算値を第１の積算値として記憶したうえ、継続的に積算処理を行うと共に、その後、通常出力モード信号を受信した時、記憶されている第１の積算値から積算処理を再開するという方式が考えられる。また、別の方式として、弁制御装置から強制出力モード信号を受信した時、積算処理を継続すると共に、新規の積算処理を開始し、その後、通常出力モード信号を受信した時、継続して積算処理された積算値から新規に積算処理された積算値を減算し、この減算した積算値から積算処理を再開するという方式が考えられる。
【００１４】
また、本発明において、弁開度制御装置は、少なくとも弁本体を流れる流体の計測流量より演算される積算値に対応する積算パルスを出力するが、この積算パルスの１つの例として、弁本体を流れる流体の計測流量と熱交換器への流体の入口計測温度および出口計測温度とから演算される積算熱量に対応する積算パルスが挙げられる。この場合、弁本体は熱交換器への流体の供給通路に取り付け、熱交換器への流体の入口温度（往温度）および出口温度（還温度）を計測するようにする。また、積算パルスの別の例として、弁本体を流れる流体の計測流量から演算される積算流量に対応する積算パルスが挙げられる。
【００１５】
また、本発明において、強制パルス出力指令は、弁制御装置に設定操作部を設け、この設定操作部からの手動操作によって与えられるようにしたり、通信（有線，無線）により別装置から与えられるようにしたりしてもよい。
【発明の効果】
【００１６】
本発明によれば、弁制御装置とパルス受信装置とを備えた積算パルス送受信システムにおいて、弁制御装置に、強制パルス出力指令を受けた場合、弁体の現在の開度が全閉である場合にのみ積算パルスに代えて強制パルスを出力させる機能を設けたので、弁体の開度が全閉である場合にしか、すなわち流体が流れていない時にしか、弁制御装置からは強制パルスが出力されず、パルス受信装置での積算パルスの誤カウントを防止することが可能となる。
【図面の簡単な説明】
【００１７】
【図１】本発明に係る積算パルス送受信システムを含む空調システムの一実施の形態の要部を示す図である。
【図２】この空調制御システムにおける積算パルス出力機能付き制御弁およびパルス受信装置の要部のブロック図である。
【図３】積算パルスの出力中に強制パルス出力指令を受けた時の積算パルス出力機能付き制御弁における演算制御部での処理の流れを示すフローチャートである。
【図４】積算パルスの出力中に強制パルス出力指令を受けた時の積算パルス出力機能付き制御弁における演算制御部での処理の流れを説明するためのタイムチャートである。
【図５】積算パルスの積算処理中に積算パルス出力機能付き制御弁から強制パルスを受けた時のパルス受信装置における積算処理部での処理の流れの第１例（方式１）を示すフローチャートである。
【図６】積算パルスの積算処理中に積算パルス出力機能付き制御弁から強制パルスを受けた時のパルス受信装置における積算処理部での処理の流れの第２例（方式２）を示すフローチャートである。
【図７】弁体の開度が全閉とされている時に強制パルス出力指令を受けた時の積算パルス出力機能付き制御弁における演算制御部での処理の流れを示すフローチャートである。
【発明を実施するための形態】
【００１８】
以下、本発明の実施の形態を図面に基づいて詳細に説明する。図１はこの発明に係る積算パルス送受信システムを含む空調システムの一実施の形態の要部を示す図である。
【００１９】
同図において、１は空調機、２は積算パルス出力機能付き制御弁、３はパルス受信装置である。この空調システムにおいて、積算パルス出力機能付き制御弁（以下、単に制御弁と呼ぶ）２は弁制御装置２Ａを備え、この弁制御装置２Ａとパルス受信装置３とによって本発明に係る積算パルス送受信システムが構成されている。
【００２０】
空調機１は、熱源からの冷温水の供給を受ける熱交換器（冷温水コイル）１−１と、熱交換器１−１によって生成された調和空気を制御対象空間へ送るファン１−２とを備えている。制御弁２は熱交換器１−１への冷温水の供給通路に設置されており、制御弁２とパルス受信装置３とは信号配線によって接続されている。図２に制御弁２およびパルス受信装置３の要部のブロック図を示す。
【００２１】
〔制御弁（積算パルス出力機能付き制御弁）〕
制御弁２は、冷温水が流れる弁本体２−１と、この弁本体２−１内に設けられた弁体２−２と、この弁体２−２を駆動するアクチュエータ２−３と、熱交換器１−１への冷温水の入口温度を往温度ＴＳとして計測する往温度計測部２−４と、熱交換器１−１からの冷温水の出口温度を還温度ＴＲとして計測する還温度計測部２−５と、弁本体２−２を流れる冷温水の流量Ｆを計測する流量計測部２−６と、弁体２−２の開度θｐｖを計測する弁開度計測部２−７と、手動による設定操作部２−８とを備えている。
【００２２】
この制御弁２において、弁制御装置２Ａはアクチュエータ２−３に内蔵されており、弁制御装置２Ａは演算制御部２１と弁駆動部２２と積算パルス出力部２３とを備えている。
【００２３】
演算制御部２１は、流量計測部２−６からの冷温水の流量Ｆ（計測流量）と往温度計測部２−４からの往温度ＴＳ（入口計測温度）および還温度計測部２−５からの還温度ＴＲ（出口計測温度）とから熱量を演算し、さらにこの熱量を積算して積算熱量を求め、この積算熱量が所定値に達する毎に積算パルス出力部２３から積算パルスを出力させる。この積算パルスを出力させる機能を積算パルス出力機能と呼ぶ。この積算パルスはパルス受信装置３へ送られる。
【００２４】
また、演算制御部２１は、上位装置（図示せず）からの設定開度θｓｐを入力とし、この設定開度θｓｐに弁開度計測部２−７によって計測される弁開度θｐｖを一致させるように、弁駆動部２２を介して弁体２−２の開度を制御する。この弁体２−２の開度を制御する機能を弁開度制御機能と呼ぶ。この弁開度制御機能によって、空調機１からの調和空気の供給を受ける制御対象空間の温度を設定温度に一致させるように、熱交換器１−１への冷温水の流量が制御される。
【００２５】
演算制御部２１は、上述した積算パルス出力機能２１Ａと弁開度制御機能２１Ｂとを通常の機能として有しており、この通常の機能に加えて、さらに設定操作部２−８から強制パルス出力指令を受けた時の強制パルス出力機能２１Ｃを有している。
【００２６】
〔強制パルス出力機能〕
図３に積算パルスの出力中に設定操作部２−８から強制パルス出力指令を受けた時の演算制御部２１での処理の流れを示す。演算制御部２１は、積算パルス出力機能２１Ａによって、冷温水の流量Ｆと往温度ＴＳおよび還温度ＴＲとから熱量を演算し、さらにこの熱量を積算して積算熱量を求め、この積算熱量が所定値に達する毎に積算パルスを出力している（ステップＳ１０１，Ｓ１０２）。
【００２７】
この積算パルスの出力中に、設定操作部２−８から強制パルス出力指令を受けると（ステップＳ１０３のＹＥＳ、図４（ａ）に示すｔ１点）、演算制御部２１は、弁体２−２の現在の開度θｐｖをθＲとして記憶したうえ（ステップＳ１０４、図４（ｂ）に示すｔ１点）、弁駆動部２２へ強制全閉信号を送る（ステップＳ１０５）。これにより、それまでの通常モードが解除され、弁体２−２の強制的な全閉動作が開始される。
【００２８】
演算制御部２１は、弁体２−２の開度が全閉となったことを確認すると（ステップＳ１０６のＹＥＳ、図４（ｂ）に示すｔ２点）、モード通知信号出力部２４より強制出力モード信号を出力させる（ステップＳ１０９、図４（ｃ）に示すｔ２点）。これにより、演算制御部２１は、強制パルス出力モードに入る。
【００２９】
なお、弁駆動部２２へ強制全閉信号を送った後、弁体２−２の開度が全閉となったことが確認されるまでの間、演算制御部２１は、積算パルス出力部２３からの積算パルスの出力を続ける（ステップＳ１０６〜Ｓ１０８）。
【００３０】
演算制御部２１は、強制パルス出力モードに入ると、所定時間ＴＷの経過を待って（ステップＳ１１０）、予め定められた模擬積算パルス（一定間隔のパルス）を強制パルスとして積算パルス出力部２３より出力させる（ステップＳ１１１）。この強制パルスの出力は予め定められたＴＡ時間続ける。
【００３１】
演算制御部２１は、強制パルスの出力をＴＡ時間続けた後（ステップＳ１１２のＹＥＳ、図４（ａ）に示すｔ３点）、所定時間ＴＢの経過を待って（ステップＳ１１３のＹＥＳ、図４（ａ）に示すｔ４点）、モード通知信号出力部２４より通常出力モード信号を出力させる（ステップＳ１１４、図４（ｄ）に示すｔ４点）。また、これと同時に、弁駆動部２２へステップＳ１０４で記憶した弁開度θＲへの復帰指令を出力する（ステップＳ１１５）。これにより、演算制御部２１は、通常モードに復帰する。また、弁体２−２の開度は、強制パルス出力指令が出された時の元の開度に戻される。
【００３２】
なお、この例において、演算制御部２１は、弁体２−２の現在の開度θｐｖをθＲとして記憶し、復帰時にはこの弁開度θＲへの復帰指令を出力するようにしたが、復帰時の実際の負荷に応じた演算弁開度への復帰指令を出力するようにしてもよい。
【００３３】
〔パルス受信装置〕
パルス受信装置３は積算処理部３１を備えている。積算処理部３１は制御弁２からの積算パルスの積算処理を行う。具体的には、積算パルスのカウントを行い、そのカウント値を積算値とする。
【００３４】
〔方式１〕
図５に積算パルスの積算処理中に制御弁２から強制パルスを受けた時の積算処理部３１での処理の流れの第１例（方式１）を示す。
【００３５】
この方式１において、積算処理部３１は、制御弁２からの積算パルスを受信し、この積算パルスを受ける毎に積算処理を行う（ステップＳ２０１，Ｓ２０２）。この積算パルスの積算処理中に制御弁２から強制出力モード信号を受けると（ステップＳ２０３のＹＥＳ）、その時のステップＳ２０２での積算値を第１積算値として記憶する（ステップＳ２０４）。
【００３６】
そして、積算処理部３１は、制御弁２から送られてくる強制パルス（模擬積算パルス）を受信し（ステップＳ２０５）、この強制パルスの積算処理（模擬積算処理）を開始する（ステップＳ２０６）。積算処理部３１は、制御弁２から通常出力モード信号の受信の有無を確認しながら、強制パルスの積算処理を続ける（ステップＳ２０５〜Ｓ２０７）。
【００３７】
そして、制御弁２から通常出力モード信号を受けると（ステップＳ２０７のＹＥＳ）、積算処理部３１は、ステップＳ２０４で記憶した第１積算値を積算処理再開時の積算値とし（ステップＳ２０８）、制御弁２からの積算パルスの受信および積算処理を再開する（ステップＳ２０１〜Ｓ２０３）。
【００３８】
〔方式２〕
図６に積算パルスの積算処理中に制御弁２から強制パルスを受けた時の積算処理部３１での処理の流れの第２例（方式２）を示す。なお、図６において、ステップＳ３０１〜Ｓ３０３の処理は、図５におけるステップＳ２０１〜Ｓ２０３の処理に対応するので、その説明は省略する。
【００３９】
この方式２において、積算処理部３１は、積算パルスの積算処理中に制御弁２から強制出力モード信号を受けると（ステップＳ３０３のＹＥＳ）、制御弁２から送られてくる強制パルス（模擬積算パルス）を受信し（ステップＳ３０４）、強制パルスを積算パルスとみなしての積算処理を継続すると共に（ステップＳ３０５）、新規の積算処理として強制パルスの積算処理（模擬積算処理）を開始する（ステップＳ３０６）。積算処理部３１は、制御弁２からの通常出力モード信号の受信の有無を確認しながら、継続積算処理と模擬積算処理とを続ける（ステップＳ３０４〜Ｓ３０７）。
【００４０】
そして、制御弁２から通常出力モード信号を受けると（ステップＳ３０７のＹＥＳ）、積算処理部３１は、継続して積算処理された積算値（継続積算値）から新規に積算処理された積算値（模擬積算値）を減算し、減算後の積算値を求める（ステップＳ３０８）。そして、この減算後の積算値を積算処理再開時の積算値とし（ステップＳ３０９）、制御弁２からの積算パルスの受信および積算処理を再開する（ステップＳ３０１〜Ｓ３０３）。
【００４１】
この方式１，２で示されるように、パルス受信装置３において、積算処理部３１は、積算パルスのカウント値（積算値）に強制パルスを加えない。一方、制御弁２から強制パルスが出力されている時は、制御弁２における弁体２−２の開度は全閉とされている。すなわち、制御弁２から強制パルスが出力されている時は、弁本体２−１には流体が流れていない。したがって、積算処理部３１での積算パルスのカウント（積算値）は流体が流れた分だけとなり、積算パルスの積算処理中に制御弁２からの強制パルスが送られてきても、誤カウントが生じることはない。
【００４２】
なお、上述においては、制御弁２における演算制御部２１が有する強制パルス出力機能として、積算パルスの出力中に強制パルス出力指令を受けた時の処理について説明したが、演算制御部２１は、弁体２−１の開度が全閉とされている時に強制パルス出力指令を受けた時にも積算パルス出力部２３から強制パルスを出力させる機能を有している。
【００４３】
図７に弁体２−２の開度が全閉とされている時に設定操作部２−８から強制パルス出力指令を受けた時の演算制御部２１での処理の流れを示す。演算制御部２１は、強制パルス出力指令を受けると（ステップＳ４０１のＹＥＳ）、弁体２−２の現在の開度が全閉であるか否かを確認する（ステップＳ４０２）。
【００４４】
ここで、弁体２−２の開度が全閉であることを確認すると（ステップＳ４０２のＹＥＳ）、演算制御部２１は、モード通知信号出力部２４より強制出力モード信号を出力させる（ステップＳ４０３）。そして、この強制出力モード信号の出力後、積算パルス出力部２３より強制パルス（模擬積算パルス）を出力させる（ステップＳ４０４）。
【００４５】
演算制御部２１は、弁体２−２の開度が全閉であることを確認しながら、強制パルスの出力を続ける（ステップＳ４０４〜Ｓ４０６）。そして、この強制パルスの出力を所定時間続けた後（ステップＳ４０６のＹＥＳ）、モード通知信号出力部２４より通常出力モード信号を出力させる（ステップＳ４０８）。
【００４６】
演算制御部２１は、ステップＳ４０４〜４０６での強制パルスの出力中、弁体２−２の全閉状態から開方向への制御を確認すると（ステップＳ４０５のＮＯ）、強制パルスの出力を停止させ（ステップＳ４０７）、モード通知信号出力部２４より通常出力モード信号を出力させる（ステップＳ４０８）。
【００４７】
なお、ステップＳ４０５での弁体２−２の全閉状態から開方向への制御は、実際に弁体２−２の開度を確認してもよいし、設定開度θｓｐと計測された開度θｐｖとの比較によって得られる演算量として確認してもよい。
【００４８】
また、演算制御部２１は、強制パルス出力指令を受けても（ステップＳ４０１のＹＥＳ）、弁体２−２の現在の開度が全閉でなければ（ステップＳ４０２のＮＯ）、強制パルスの出力は行わない。この場合、図３に示した処理が行われるものとなる。
【００４９】
上述した実施の形態では、設定操作部２−８での手動操作によって、設定操作部２−８より強制パルス出力指令が演算制御部２１に与えられるものとしたが、別装置から通信（有線，無線）によって与えられるような構成でもよい。
【００５０】
また、上述した実施の形態では、強制パルスの出力を開始してから一定時間経過後に強制パルスの出力を停止（自動停止）させるようにしたが、強制パルスを所定数出力した後に強制パルスを停止（自動停止）させるようにしてもよく、設定操作部２−８から別途停止の指令を受けるまで強制パルスを出力し続ける（手動停止）ようにしてもよい。運用時の事故防止といった観点からは、自動停止の方が実用的であると考えられる。
【００５１】
また、上述した実施の形態では、積算パルスを冷温水の流量Ｆと往温度ＴＳおよび還温度ＴＲとから演算される積算熱量に対応する積算パルスとしたが、冷温水の流量Ｆから演算される積算流量に対応する積算パルスなどとしてもよい。
【産業上の利用可能性】
【００５２】
本発明の積算パルス送受信システムは、熱量や流量などの積算値に対応する積算パルスを送受信する積算パルス送受信システムとして、空調システムなど各種のシステムに利用することが可能である。
【符号の説明】
【００５３】
１…空調機、１−１…熱交換器、１−２…ファン、２…積算パルス出力機能付き制御弁（制御弁）、２−１…弁本体、２−２…弁体、２−３…アクチュエータ、２−４…往温度計測部、２−５…還温度計測部、２−６…流量計測部、２−７…弁開度計測部、２−８…設定操作部、２Ａ…弁制御装置、２１…演算制御部、２１Ａ…積算パルス出力機能、２１Ｂ…弁開度制御機能、２１Ｃ…強制パルス出力機能、２２…弁駆動部、２３…積算パルス出力部、２４…モード通知信号出力部、３…パルス受信装置、３１…積算処理部。
【図１】
0005426507.tif 000002
【図２】
0005426507.tif 000003
【図３】
0005426507.tif 000004
【図４】
0005426507.tif 000005
【図５】
0005426507.tif 000006
【図６】
0005426507.tif 000007
【図７】
0005426507.tif 000008